(57)【要約】      （修正有）【課題】炎型等の特別な表示効果を創出するために予め設定されたパターンを表示することが可能なランプを提供する。【解決手段】ランプ基部と、ランプ基部に固着されるランプカバーと、ランプ基部と電気的に接続され、ランプカバーおよびランプ基部に区画される空間に収容される光源モジュールとを備え、光源モジュール３０は、ランプ基部に電気的に接続される第１プレート３２と、少なくとも第１プレートの第１面３２１に形成され、第１ドットマトリックス光源３４１を形成する複数のＬＥＤ光源と第１プレートの第１面を覆う第１光学カバー３５とを備える。【選択図】図５
0003223009.tif 000002
【実用新案登録請求の範囲】
【請求項１】
ランプ基部と、
前記ランプ基部に固着されるランプカバーと、
前記ランプ基部と電気的に接続され、前記ランプカバーおよび前記ランプ基部に区画される空間に収容される光源モジュールとを備え、
前記光源モジュールは、
前記ランプ基部に電気的に接続される第１プレートと、
少なくとも前記第１プレートの第１面に形成され、第１ドットマトリックス光源を形成する複数の光源と
前記第１プレートの前記第１面を覆う第１光学カバーとを備えることを特徴とするランプ。
【請求項２】
前記第１プレートの前記第１面と反対の第２面に形成され、第２ドットマトリックス光源を形成する複数の光源と、
前記第１プレートの前記第２面を覆う第２光学カバーとを備え、
前記第１ドットマトリックス光源および前記第２ドットマトリックス光源は、照明用光源および表示スクリーンとして用いられることを特徴とする請求項１に記載のランプ。
【請求項３】
前記第１プレートの前記第１面に直交する方向に見た場合、前記第１プレートは炎型に形成されることを特徴とする請求項２に記載のランプ。
【請求項４】
前記第１光学カバーおよび前記第２光学カバーは、粉体散布を含むエポキシ樹脂で形成されるとともに、前記第１光学カバーおよび前記第２光学カバーの色は、キャンドルの炎の色を模したものであることを特徴とする請求項３に記載のランプ。
【請求項５】
前記第１プレートに接続される第２プレートと、
前記第２プレートの少なくとも一方の面に配置される制御回路とを備え、
前記制御回路は、前記第１ドットマトリックス光源および前記第２ドットマトリックス光源を制御し、少なくとも一つのパターンを表示することを特徴とする請求項４に記載のランプ。
【請求項６】
前記第１プレートおよび前記第２プレートは、グラスファイバー回路基板、アルミニウム回路基板、銅ベース回路基板もしくはメタルプラスティックブラケットのいずれから成り、前記複数の光源は、ＬＥＤ光源もしくはＯＬＥＤ光源から成り、前記ランプ基部は、スクリューキャップ、バヨネットキャップもしくは前記第１ドットマトリックス光源および第２ドットマトリックス光源に電気的に接続される太陽光パネルを有するキャップであることを特徴とする請求項５に記載のランプ。
【請求項７】
前記第１プレートに接続される第２プレートと、
前記第２プレートに設けられ、前記第１ドットマトリックス光源を制御して所定のパターンを表示する制御回路を備えたことを特徴とする請求項１に記載のランプ。
【請求項８】
前記光学カバーの表面は前記第１プレートの外周に電気的に接続され、前記光学カバーの中間部は、前記第１プレートの前記第１面に対して凸状であり、前記光学カバーの中間部は、第１光学カバーおよび第２光学カバーの外周に向けて滑らかに傾斜することを特徴とする請求項８に記載のランプ。
【請求項９】
ランプ基部と、
前記ランプ基部に電気的に接続される光源モジュールとを備えるランプであって、
前記光源モジュールは、
前記ランプ基部に電気的に接続される第２プレートと、
前記第２プレートに接続される第１プレートと、
前記第１プレートの両面にそれぞれ配置され、点灯し少なくとも１つの所定のパターンを表示するために用いられる第１ドットマトリックス光源および第２マトリックス光源を形成する複数の光源と、
第１プレートの両面にを覆い、第１ドットマトリックス光源および第２ドットマトリックス光源を保護する２つの光源カバーとを備えたことを特徴とするランプ。
【請求項１０】
前記第２プレートに設けられ、前記第１ドットマトリックス光源および前記第２ドットマトリックス光源を制御して所定のパターンを表示する制御回路を備えることを特徴とする請求項９に記載のランプ。
【考案の詳細な説明】
【技術分野】
【０００１】
本考案は、照明技術に関し、特にランプに関する。
【背景技術】
【０００２】
電気を介して熱や光を放つ光源であるランプは、ヘンリー・ゴーベルズが発明した（実際には、エジソンが最適な素材である白熱灯を発見し、１８５４年の初頭にはその姿を現していた）。伝統的なランプは、照明機能しか備えていない。これらは人々の生活を照らすものであるが、特定の表示機能を有さず、ある特定の雰囲気を作り出すこともない。誕生日祝いの際に用いられるキャンドルを代用するならば、お祝いの雰囲気を作り出すだけでなく、従来のキャンドルの炎による多大な汚染や潜在的な安全上の問題などの多くの問題を解決することが出来る。また、松明型ハンドルをチームビルディングに取り入れた場合、雰囲気作りに貢献するだけでなく、従来の松明により引き起こされる火災を回避することが可能となる。
【先行技術文献】
【特許文献】
【０００３】
【特許文献１】特開２０１４−２４０９８１号公報
【考案の概要】
【考案が解決しようとする課題】
【０００４】
上述の技術的問題を解決するために、本願考案の目的は、特別な表示効果を創出するために予め設定されたパターンを表示することが可能なランプを提供することである。
【課題を解決するための手段】
【０００５】
ランプは、ランプ基部と、ランプ基部に固着されるランプカバーと、ランプ基部と電気的に接続され、ランプカバーおよびランプ基部に区画される空間に収容される光源モジュールとを備え、光源モジュールは、ランプ基部に電気的に接続される第１プレートと、少なくとも第１プレートの第１面に形成され、第１ドットマトリックス光源を形成する複数の光源と第１プレートの第１面を覆う第１光学カバーとを備える。
【０００６】
ひとつの実施形態として、ランプは、第１プレートの第１面と反対の第２面に形成され、第２ドットマトリックス光源を形成する複数の光源と、第１プレートの第２面を覆う第２光学カバーとを備え、第１ドットマトリックス光源および第２ドットマトリックス光源は、照明用光源および表示スクリーンとして用いられる。
【０００７】
好ましくは、第１プレートの第１面に直交する方向に見た場合、第１プレートは炎型に形成される。
【０００８】
また、好ましくは、第１光学カバーおよび第２光学カバーは、粉体散布を含むエポキシ樹脂で形成されるとともに、第１光学カバーおよび第２光学カバーの色は、キャンドルの炎の色を模した色である。
【０００９】
ひとつの実施形態として、ランプは、第１プレートに連結する第２プレートと、第２プレートの少なくとも一方の面に配置される制御回路とを備え、制御回路は、第１ドットマトリックス光源および第２ドットマトリックス光源を制御し、少なくとも一つのパターンを表示することを特徴とする。
【００１０】
好ましくは、第１プレートおよび第２プレートは、グラスファイバー回路基板、アルミニウム回路基板、銅ベース回路基板もしくはメタルプラスティックブラケットのいずれから成り、複数の光源は、ＬＥＤ光源もしくはＯＬＥＤ光源から成り、ランプ基部は、スクリューキャップ、バヨネットキャップもしくは第１ドットマトリックス光源および第２ドットマトリックス光源に電気的に接続される太陽光パネルを有するキャップである。
【００１１】
好ましくは、第１プレートに接続される第２プレートと、第２プレートに設けられ、第１ドットマトリックス光源を制御して所定のパターンを表示する制御回路を備える。
【００１２】
ひとつの実施形態として、ランプは、光学カバーの表面が第１プレートの外周に電気的に接続され、光学カバーの中間部は、第１プレートの第１面に対して凸状であり、光学カバーの中間部は、第１光学カバーおよび第２光学カバーの外周に向けて滑らかに傾斜することを特徴とする。
【００１３】
ひとつの実施形態として、ランプは、ランプ基部と、ランプ基部に電気的に接続される光源モジュールとを備える。光源モジュールは、ランプ基部に電気的に接続される第２プレートと、第２プレートに接続される第１プレートと、第１プレートの両面にそれぞれ配置され、点灯し少なくとも１つの所定のパターンを表示するために用いられる第１ドットマトリックス光源および第２マトリックス光源を形成する複数の光源と、第１プレートの両面にを覆い、第１ドットマトリックス光源および第２ドットマトリックス光源を保護する２つの光源カバーとを備える。
【００１４】
好ましくは、ランプは、第２プレートに設けられ、第１ドットマトリックス光源および第２ドットマトリックス光源を制御して所定のパターンを表示する制御回路を備える。
【考案の効果】
【００１５】
本考案のランプのドットマトリックス光源は、照明として用いられるとともに必要に応じて動的な所定のパターンを表示可能なので、模倣する対象のイメージを鮮やかに提示して、ある特定の雰囲気を作り出すことができる。
【００１６】
上記考案の概要は、本考案の必要な特徴の全てを列挙したものではなく、特徴群を構成する個々の構成もまた考案となり得る。
【００１７】
図面を参照し、後述する複数の本考案の実施形態の記載の原理から、上述の記載およびその他の目的ならびに本考案の特徴や利点を更に理解することが可能となる。
【図面の簡単な説明】
【００１８】
【図１】本考案の第１の実施形態に係るランプの斜視図である。
【図２】本考案の第１の実施形態に係るランプカバーを外したランプの斜視図である。
【図３】本考案の第１の実施形態に係る第１プレートおよび第２プレートの斜視図ならびに第２プレートおよびランプ基部の接続を示す斜視図である。
【図４】本考案の第１の実施形態に係る第１プレートおよび第２プレートの斜視図ならびに第１プレート、第２プレートおよびランプ基部の関係を示す斜視図である。
【図５】本考案の第１の実施形態に係る第１プレート、第２プレートおよび第１光学カバーを備える光源モジュールの展開図である。
【図６】本考案の第１の実施形態に係る他の観点から見た光源モジュールの展開図である。
【図７】本考案の第２の実施形態に係るランプの斜視図である。
【図８】本考案の第３の実施形態に係るランプの斜視図である。
【図９】本考案の第４の実施形態に係るランプの斜視図である。
【図１０】本考案の第５の実施形態に係るランプの斜視図である。
【図１１】本考案の第６の実施形態に係るランプの斜視図である。
【図１２】本考案の第７の実施形態に係るランプの斜視図である。
【図１３】図１２に記載のランプの展開図である。
【考案を実施するための形態】
【００１９】
以下、図１〜図１３を参照し、考案の実施形態を通じて本考案を詳説するが、以下の実施形態は実用新案登録請求の範囲に係る考案を限定するものではなく、また実施形態の中で説明される特徴の組み合わせの全てが考案の解決手段に必須であるとは限らない。
【００２０】
図１〜３ならびに図５および図６を参照すると、本考案の第１の実施形態に係るランプは、ランプ基部１０と、光源モジュール３０を収容するスペースを区画するランプキャップ１に連結するランプカバー２０とを備える。実施形態において、ランプカバー２０は立体構造でシャトル型かつ透明であり、ランプ基部１０は、適切なソケットと螺合可能なスクリューキャップを有するので、そのソケットを介して外部電源と電気的に接続することが可能である（図３では、スクリューキャップをシリンダと置き換える）。
【００２１】
光源モジュール３０は、ランプ基部１０に接続される第２プレート３１と、第２プレート３１に接続される第１プレートと、第２プレート３１に固定されるとともにランプ基部１０に電気的に接続される制御回路３３と、表示パターンを照らす第１ドットマトリックス光源３４１および第２ドットマトリックス光源３４２を形成する複数のＬＥＤ光源もしくはＯＬＥＤ光源３４を備える。第１ＬＥＤドットマトリックス光源３４１は、制御回路３３に電気的に接続されるとともに第１プレート３２の第１面３２１に固定される。第２ＬＥＤドットマトリックス光源３４２は制御回路３３に電気的に接続されるとともに第１プレート３２の第２面３２２に固定される。
【００２２】
第１プレート３２は実質的に平坦なパネルであり、第１プレート３２の面（第１面３２１および第２面３２２）に直交する方向から見た場合に、炎の形状に形成される。炎の形状とは、第１プレート３２を第１プレート３２の面に直交する方向に見た場合に、その形状がキャンドルの炎のように見えることを意味する。詳細には、第１プレート３２の幅は、第１プレート３２の炎形状の根本部分３２３から漸次増加し、第１プレート３２の中央部で最大となり、中央部から漸次減少するので、第１プレート３２の終端（頂上部）は細長く尖ったものとなる。第２プレート３１は、炎形状の根本部分３２３から一体的に延長する長方形である。実施形態では、第１プレート３２および第２プレート３１はプリント回路基板であるが、グラスファイバー回路基板、アルミニウム回路基板、銅ベース回路基板からも選択してもよい。また、第１プレート３２および第２プレート３１として、メタルプラスティックブラケットを選択してもよい。
【００２３】
第１光学カバー３５は第１プレート３２の第１面３２１を覆い、第１光学カバー３５と第１面３２１とにより区画される空間に第１ＬＥＤドットマトリックス光源３４１を収容する。また、第２光学カバー３６は、第１プレート３２の第２面３２２を覆い、第２光学カバー３６および第２面３２２により区画される空間に第２ＬＥＤドットマトリックス光源３４２を収容する。
【００２４】
実施形態では、第１光学カバー３５および第２光学カバー３６は、飛散粉体を含むエポキシ樹脂により形成され、透明もしくは半透明である。第１光学カバー３５および第２光学カバー３６は、薄い端部と厚い中間部により厚みに勾配を有し、キャンドルの炎を演出するために、赤色に橙色を混ぜた色に着色される。とくに、第１光学カバー３５および第２光学カバー３６は、第１プレート３２の第１面３２１および第２面３２２の外面にそれぞれ固着され、第１光学カバー３５および第２光学カバー３６の中央部は第１プレート３２の表面に対して凸状であり、第１光学カバー３５および第２光学カバー３６の外周に向けて滑らかに傾斜する。
【００２５】
第１光学カバー３５と第２光学カバー３６は、ランプカバー２０から所定の距離で離れている。とくに、第１プレート３２の前面と後面に配置され、第１光学カバー３５と光学カバー３６は、立体構造で炎型の形状に組み合わされる。
【００２６】
第１の実施形態では、平面構造で長方形状の第２プレート３１および平面構造で炎形状を有する第１プレート３２は、一片のプリント回路基板として一体的に形成される。ランプ基部１０は、スクリューキャップを備える。ドットマトリックス光源が表示する所定のパターンは、キャンドルの炎形状、花あるいは花火等に限定されない。動的な炎の作用は、制御回路の制御により実現される。
【００２７】
図４（ａ）に示す変形例では、第２プレート３１’および第１プレート３２’は互いに独立した部品である。このような態様において、図４（ｂ）に示すように、第１プレート３２’の炎型の根本部分はランプ基部に直接かつ電気的に接続され、第２プレート３１’はランプ基部に収容されるとともにランプ基部および第１プレート３２’にそれぞれ電気的に接続される。その他の実施形態では、第２プレート３１の一部が、第１プレート３２に取り付けられるか、または第２プレート３１の終端が第１プレート３２の炎型根本部に接続されてもよい。
【００２８】
図７を参照して、第２の実施形態に係るランプを説明する。第２の実施形態と第１の実施形態の相違点は、ランプカバー２１１の形状およびランプ基部の型である。第２の実施形態では、ランプ基部２０１は、外部電源に電気的に接続するために適したソケットと電気的に接続されるバヨネットを有する。ランプカバー２１１は、本物のキャンドルの炎のイメージをより直感的に示すとともにより現実的なキャンドルの炎のエフェクトを表すために、立体構造で炎型の形状である。第２の実施形態では、ランプ基部２０１は円筒形状であり、キャンドルの本体を模している。
【００２９】
図８を参照して、第３の実施形態に係るランプを説明する。第３の実施形態と第１の実施形態の相違点は、ランプ基部の形状である。第３の実施形態では、ランプ基部３０１の形状は円筒型であり、キャンドル本体を模している。第２プレート上の制御回路は、ランプ基部３０１に配置される電源アダプターに電気的に接続し、この電源アダプターは、外部電源に接続可能である。シャトル形状のランプカバー３１１は、第１プレート３０７上に表示されるキャンドルの炎を保護する。
【００３０】
第３の実施形態の変形例では、ランプ基部３０１をバッテリーボックスで区画してもよい。第１ＬＥＤドットマトリックス光源および第２ＬＥＤドットマトリックス光源は、制御回路と電気的に接続され、第２プレート上の制御回路は、ランプ基部３０１内のバッテリーボックスと電気的に接続される。すなわち、ランプは外部電源ではなく、ランプ基部３０１内のバッテリーにより電力を供給される。
【００３１】
図９を参照して、本考案の第４の実施形態に係るランプについて説明する。第４の実施形態に係るランプと第１の実施形態に係るランプの違いは、ランプ基部の形状にある。第４の実施形態では、ランプは長いハンドル部４０１１と、そのハンドル部４０１１の直径よりも大きな直径を有する円柱部４０１２を有する松明型の形状である。カバー４１１は、第１プレート４０７上に表示される炎を保護する。第３の実施形態やその変形例に類似して、第４の実施形態に係るランプは、外部電源あるいは内部バッテリーにより電源を供給される。
【００３２】
図１０を参照して、第５の実施形態に係るランプについて説明する。第５の実施形態に係るランプと第１の実施形態に係るランプの違いは、ランプ基部の形状とランプの数である。第５の実施形態では、ランプ基部５０１は円柱状であり、複数のランプが直列に電気的に接続されて光の列をつくる。ランプ基部５０１は、互いに接続され、カバー５１１は第１プレート５０７に表示される表示パターンを保護する。
【００３３】
図１１を参照して、第６の実施形態に係るランプについて説明する。第６の実施形態に係るランプと第１の実施形態に係るランプの違いは、ランプ基部６０１の形状とランプ基部６０１に設けられた光源モジュール６０７の数である。ランプ基部６０１は円柱状であり、図５および６に示す光源モジュールと同様の複数の光源モジュール６０７がランプ基部６０１とカバー６１１に囲まれる空間に配置される。各光源モジュール６０７は、所定のパターンを表示するために用いられる。
【００３４】
図１２および図１３を参照して、第７の実施形態に係るランプについて説明する。第７の実施形態に係るランプと第１の実施形態に係るランプの違いは、ランプ基部７０１の形状と光源モジュール７０７への電源供給である。ランプ基部７０１は円柱状であり、光源モジュール７０７に電気的に接続される太陽光パネル７０９を収容するスペースを区画する。ランプカバー７１１は透明であり、太陽光パネル７０９はランプカバー７１１を介して自然光を吸収することが可能である。また、ランプ基部７０１はバッテリーボックスを備えるので、バッテリーが補助電源として機能する。
【００３５】
第１の実施形態から第７の実施形態まで、制御回路がドットマトリックス光源を駆動させ、必要に応じて動的な表示も可能な少なくとも１以上の所定のパターンを表示するので、現実の対象物のイメージを表示し、ある特定の雰囲気を作り出ことが可能である。誕生日のお祝いに用いられるキャンドルに置き換える場合、お祝いの雰囲気を作り出すだけでなく、従来のキャンドルの炎の多大な汚染や潜在的な安全上の問題等の多くの問題を解決することが出来る。松明型ハンドルをチームビルディングに取り入れた場合、雰囲気作りに貢献するだけでなく、伝統的な松明により引き起こされる火事を回避することが可能となる。汚染や安全上の問題なく、現実の雰囲気の変化を作り出すことが可能である。模倣する対象物にさらに近づけるために、両面ドットマトリックス構造の光学カバーにより覆われる面を有するＬＥＤドットマトリックス光源を第１プレートの両面に設けたので、模倣する対象物の表示効果を死角なしで３６０°視認可能である。また、光学カバーの追加により、所定のパターンがより透明で現実的かつ自然なものとなる。
【００３６】
上述の実施形態において、第１プレートは実質的に平面プレートである。キャンドルの炎の揺らめきを模倣するために湾曲したプレートを用いても良い。
【００３７】
他の実施形態では、第１プレートの両面のいずれかに１つのドットマトリックス光源のみを固定しても良い。
【００３８】
他の実施形態では、所定のパターンを表示する限り、ドットマトリックス光源を形成するＬＥＤに代えて、他の型のランプビードを用いても良い。
【００３９】
他の実施形態では、第１プレートの形状は円や多角形等であってもよく、ドットマトリックス光源により形成されるパターンは、炎の形状、あるいは長方形や多角形等でもよい。
【００４０】
他の実施形態では、ランプ基部はランプに適応可能なキャップ型であってもよい。
【００４１】
他の実施形態では、ドットマトリックス光源は、第１プレートの両面のうちいずれかに配置され、他方の面に光源を配置しない構成であっても良い。
【００４２】
他の実施形態では、ランプカバーを省略してもよい。
【００４３】
他の実施形態では、光学カバーの色をドットマトリックス光源により表示されるパターンの色と異なる色としてもよい。
【００４４】
他の実施形態では、光学カバーの外周を第１プレートの外周に固着してもよい。光学カバーの中央部は第１プレートの面に対して凸形状であり、光学カバーの中央部分は光学カバーの外周に滑らかに傾斜するとともに、光学カバーの外周は、第１プレートの表面とほぼ平行である。
【００４５】
上述の実施形態では、光学カバーは個別に形成される（すなわち、他の部品に対して独立に形成される）。他の実施形態では、透過性樹脂あるいは飛散粉体樹脂を第１プレートおよびドットマトリックス光源にプリントし、光学カバーを形成しても良い。これにより、光学カバーと第１プレートもしくはドットマトリックス光源との間のスペースをなくすことが可能となる。
【００４６】
他の実施形態では、第１プレートおよび第２プレートは分離され、第１プレートは第２プレートの炎型根本部に接続され、２つのプレートは部分的に積層されるか、垂直に固着される。
【００４７】
他の実施形態では、制御回路は２つの部材に分けられ、それぞれが第２プレートの前後に配置される。
【００４８】
他の実施形態では、電源はＡＣバッテリー、ＤＣバッテリーあるいは太陽光エネルギーである。
【００４９】
本考案を複数の実施形態の観点から詳述したが、当業者は本考案の範囲内において改変が行われることを認識すべきである。また、出願人の意図は、審査中に補正した場合であっても、実用新案登録請求の範囲における全ての構成要素の均等物も包含する。
【図１】
0003223009.tif 000003
【図２】
0003223009.tif 000004
【図３】
0003223009.tif 000005
【図４】
0003223009.tif 000006
【図５】
0003223009.tif 000007
【図６】
0003223009.tif 000008
【図７】
0003223009.tif 000009
【図８】
0003223009.tif 000010
【図９】
0003223009.tif 000011
【図１０】
0003223009.tif 000012
【図１１】
0003223009.tif 000013
【図１２】
0003223009.tif 000014
【図１３】
0003223009.tif 000015
【手続補正書】
【提出日】令和1年7月12日(2019.7.12)
【手続補正１】
【補正対象書類名】実用新案登録請求の範囲
【補正対象項目名】請求項８
【補正方法】変更
【補正の内容】
【請求項８】
前記光学カバーの表面は前記第１プレートの外周に電気的に接続され、前記光学カバーの中間部は、前記第１プレートの前記第１面に対して凸状であり、前記光学カバーの中間部は、第１光学カバーおよび第２光学カバーの外周に向けて滑らかに傾斜することを特徴とする請求項１に記載のランプ。